(57)【要約】【課題】本発明の目的は作業性の向上及び製造費用を節減することができるようにした液晶表示装置を提供することである。【解決手段】この液晶表示装置はデータラインなどに画素データを供給するデータ出力チャンネル群を含むと共にダミー・データ出力チャンネル群を有するデータ集積回路と、前記ダミー・データ出力チャンネル群の出力チャンネルを選択するためのチャンネル選択部と、前記データ集積回路が実装されて前記データ出力チャンネル群に接続されるデータ出力パッド群を含むと共にダミー・データ出力パッド群を有するテープ・キャリアー・パッケージとを具備して；前記チャンネル選択部によって選択される前記ダミー・データ出力チャンネルを通して前記画素データが前記データラインなどに供給されることを特徴とする。【選択図】図４
2005182010.tif 000002
【特許請求の範囲】
【請求項１】
多数の出力チャンネルが形成されたデータ駆動集積回路と、前記多数の出力チャンネルの中の画素データが供給されるデータ出力チャンネルを選択するチャンネル選択部；前記データ集積回路が実装されて、前記多数の出力チャンネルに対応される出力パッドが形成されたテープ・キャリア・パッケージとを具備することを特徴とするチップ実装フィルム。
【請求項２】
前記データ出力チャンネルを選択するためのチャンネル選択信号を発生する選択信号発生部を具備することを特徴とする請求項１記載のチップ実装フィルム。
【請求項３】
前記多数の出力チャンネルの中、非選択された出力チャンネルはダミー出力チャンネルであることを特徴とする請求項１記載のチップ実装フィルム。
【請求項４】
前記テープ・キャリア・パッケージの出力パッドは前記データ有効出力チャンネルと接続されたデータ出力パッド群と、前記ダミー出力チャンネルと接続されてダミー出力パッド群とを具備することを特徴とする請求項３記載のチップ実装フィルム。
【請求項５】
前記ダミー出力チャンネル及びダミー出力パッド群はプロティングされることを特徴とする請求項４記載のチップ実装フィルム。
【請求項６】
前記ダミー出力チャンネル及び前記ダミー出力パッド群は一定常数の電圧に設定されたことを特徴とする請求項４記載のチップ実装フィルム。
【請求項７】
前記データ出力パッド群は液晶パネルのデータラインと接続されることを特徴とする請求項１記載のチップ実装フィルム。
【請求項８】
前記選択信号発生部は前記データラインの数、前記データ集積回路の個数、前記データ集積回路が実裝されるテープキャリアパッケージの幅、前記画素データの入力ライン数の中から少なくとも一つの条件によって前記チャンネル選択信号を発生することを特徴とする請求項２記載のチップ実装フィルム。
【請求項９】
前記チャンネル選択部は前記データ駆動集積回路に内蔵されて、前記選択信号発生部は電圧源及び基底電圧源に接続されて前記チャンネル選択信号を発生して前記内蔵されたチャンネル選択部へ供給する前記データ駆動集積回路の第１及び第２選択端子とを具備することを特徴とする請求項２記載のチップ実装フィルム。
【請求項１０】
前記データ駆動集積回路はスタート・パルスをシフトさせて順次にサンプリング信号を発生するシフト・レジスタ部と、前記サンプリング信号に応答して画素データをラッチするためのラッチと、前記ラッチからの前記画素データを前記アナログ画素データに変換するデジタル・アナログ変換部と、前記デジタル・アナログ変換部からの前記画素データをバッファリングして、前記データ出力チャンネルに供給するバッファ部とを更に具備することを特徴とする請求項１記載のチップ実装フィルム。
【請求項１１】
前記チャンネル選択部はＩ，Ｊ，Ｋ，Ｎ（ただ、Ｉ＜Ｊ＜Ｋ＜Ｎであり、Ｎは前記出力チャンネルの総数）個のデータ出力チャンネルの中のいずれか一つを選択することを特徴とする請求項１０記載のチップ実装フィルム。
【請求項１２】
前記チャンネル選択部は前記Ｉ番目、Ｊ番目、Ｋ番目及びＮ番目のデータ出力チャンネルに対応される W番目、 X番目、Y番目、 Z番目シフトレジスターの中のいずれか一つの出力信号を次段データ駆動集積回路へ供給することを特徴とする請求項１１記載のチップ実装フィルム。
【請求項１３】
前記データ出力チャンネルの数は前記データ駆動集積回路内にプログラム化されたことを特徴とする請求項１１記載のチップ実装フィルム。
【請求項１４】
第１及び第２出力チャンネル群に分割された多数の出力チャンネルを持つデータ駆動集積回路と、前記第１及び第２出力チャンネル群のそれぞれで画素データが供給される第１及び第２データ出力チャンネル群のそれぞれを選択するチャンネル選択部と、前記データ集積回路が実装されて、前記第１及び第２出力チャンネル群に対応される第１及び第２出力パッド群が形成されたテープキャリアパッケージとを具備することを特徴とするチップ実装フィルム。
【請求項１５】
前記第１及び第２データ出力チャンネルを選択するためのチャンネル選択信号を発生する選択信号発生部をさらに具備することを特徴とする請求項１４記載のチップ実裝フィルム。
【請求項１６】
前記多数の出力チャンネルの中で非選択された出力チャンネルはダミー出力チャンネルで前記第１及び第２データ出力チャンネル領域の間に位することを特徴とする請求項１４記載のチップ実裝フィルム。
【請求項１７】
前記テープキャリアパッケージの出力パッドは前記第１及び第２データ出力チャンネル群と接続された有效出力パッド群と、前記ダミー出力パネルと接続されてダミー出力パッド群とを具備することを特徴とする請求項１６記載のチップ実裝フィルム。
【請求項１８】
前記ダミー出力チャンネル及び前記ダミー出力パッド群はフローティングされることを特徴とする請求項１７記載のチップ実裝フィルム。
【請求項１９】
前記ダミー出力チャンネル及び前記ダミー出力パッド群は一定常数の電圧に設定されたことを特徴とする請求項１７記載のチップ実裝フィルム。
【請求項２０】
前記選択信号発生部は前記データラインの数、前記データ集積回路の個数、前記データ集積回路が実裝されるテープキャリアパッケージの幅、前記データ駆動集積回路の画素データの入力ライン数の中で少なくとも一つの条件によって前記チャンネル選択信号を発生することを特徴とする請求項１５記載のチップ実裝フィルム。
【請求項２１】
前記チャンネル選択部は前記データ駆動集積回路に内蔵して、前記選択信号発生部は電圧源及び基底電圧源に接続されて前記チャンネル選択信号を発生して前記内蔵したチャンネル選択部で供給する前記データ駆動集積回路の第１及び第２選択端子を具備することを特徴とする請求項１５記載のチップ実裝フィルム。
【請求項２２】
前記データ駆動集積回路はスタートパルスをシフトさせて順次なサンプリング信号を発生するシフトレジスタ部と、前記サンプリング信号に応答して画素データをラーチするためのラーチと、前記ラーチからの前記画素データを前記アナログ画素データに変換するデジタル-アナログ変換部と、前記デジタル-アナログ変換部からの画素データをバッファリングして前記第１及び第２データ出力チャンネル群で供給するバッファ部とをさらに具備することを特徴とする請求項１４記載のチップ実裝フィルム。
【請求項２３】
前記第１及び第２データ出力パッド群は液晶パネルのデータラインと接続されることを特徴とする請求項１７記載のチップ実裝フィルム。
【請求項２４】
前記データ出力チャンネルグループの少なくとも２個領域は同一な数のデータ出力チャンネルを持つことを請求項１４記載のチップ実裝フィルム。
【請求項２５】
前記第１データ出力チャンネルグループは一番目からI１番目、I２番目、I３番目(ただ、１＜I１＜I２＜I３＜N)中、いずれかまでの出力チャンネルを含むことを特徴とする請求項１４記載のチップ実裝フィルム。
【請求項２６】
前記第２出力チャンネルグループはN番目から J１番目、J２番目、J３番目(ただ、I３＜J１＜J２＜J３＜N)中いずれかまでの出力チャンネルを含むことを特徴とする請求項２５記載のチップ実裝フィルム。
【請求項２７】
前記出力チャンネルの中でI１＋１番目からJ３−１番目まで、I２＋１番目からJ２−１番目まで、I３＋１番目からJ１−１番目の中である一グループは前記ダミー出力チャンネルであることを特徴とする請求項２６記載のチップ実装フィルム。
【請求項２８】
多数の出力チャンネルが形成されたデータ駆動集積回路と、前記多数の出力チャンネルの中で画素データが供給されるデータ出力チャンネルを選択して、残りはダミーチャンネルになるようにするチャンネル選択部と、前記データ集積回路が実裝されて、前記データ出力チャンネルと接続されたデータ出力パッド群と、前記ダミーチャンネルと接続されたダミー出力パッド群が形成されたテープキャリアパッケージと、前記テープキャリアパッケージのデータ出力パッド群と接続されたデータラインを持つ液晶パネルとを具備することを特徴とする液晶表示装置。
【請求項２９】
前記データ出力チャンネルの数は前記データ駆動集積回路内にプログラム化されたことを特徴とする請求項２８記載の液晶表示装置。
【請求項３０】
前記データ出力チャンネルを選択するためのチャンネル選択信号を発生する選択信号発生部をさらに具備することを特徴とする請求項２８ 記載の液晶表示装置。
【請求項３１】
前記液晶パネルは前記データラインと前記テープキャリアパッケージのデータ出力パッド群と接続されたデータ入力パッドをさらに具備することを特徴とする請求項２８記載の液晶表示装置。
【請求項３２】
前記液晶パネルは前記テープキャリアパッケージのダミー出力パッド群と接続されたダミーデータ入力パッド群をさらにもっと具備することを特徴とする請求項２８記載の液晶表示装置。
【請求項３３】
前記ダミー出力チャンネル及び前記ダミー出力パッド群、ダミーデータ入力パッド群はフローティングされることを特徴とする請求項３２記載の液晶表示装置。
【請求項３４】
前記ダミー出力チャンネル及び前記ダミー出力パッド群、ダミーデータ入力パッド群は一定常数電圧に設定されたことを特徴とする請求項３２記載の液晶表示装置。
【請求項３５】
第１及び第２出力チャンネル群に分割された多数の出力チャンネルを持つデータ駆動集積回路と、前記第１及び第２出力チャンネル群のそれぞれで画素データが供給される第１及び第２データ出力チャンネル群を選択して、その第１及び第２データ出力チャンネル群の間の非選択された出力チャンネルはダミーチャンネルになるようにするチャンネル選択部と、前記データ集積回路が実裝されて、前記第１及び第２データ出力チャンネル群と接続されたデータ出力パッドと、前記ダミーチャンネルと接続されたダミー出力パッドが形成されたテープキャリアパッケージと、前記テープキャリアパッケージのデータ出力パッドと接続されたデータラインを含む液晶パネルとを具備することを特徴とする液晶表示装置。
【請求項３６】
前記第１及び第２データ出力チャンネルを選択するためのチャンネル選択信号を発生する選択信号発生部を具備することを特徴とする請求項３５記載の液晶表示装置。
【請求項３７】
前記液晶パネルは前記データラインと前記テープキャリアパッケージのデータ出力パッドの間に接続されたデータ入力パッドをさらに具備することを特徴とする請求項３５記載の液晶表示装置。
【請求項３８】
前記液晶パネルは前記テープキャリアパッケージのダミー出力パッドと接続されたダミーデータ入力パッドをさらにもっと具備することを特徴とする請求項３７記載の液晶表示装置。
【請求項３９】
前記ダミー出力チャンネル及び前記ダミー出力パッド、ダミーデータ入力パッドはフローティングされることを特徴とする請求項３８記載の液晶表示装置。
【請求項４０】
前記ダミー出力チャンネル及び前記ダミー出力パッド、ダミーデータ入力パッドは一定常数電圧に設定されたことを特徴とする請求項３８記載の液晶表示装置。
【請求項４１】
前記第１及び第２データ出力チャンネルの数は前記データ駆動集積回路内にプログラム化されたことを特徴とする請求項３５記載の液晶表示装置。
【発明の詳細な説明】
【技術分野】
【０００１】
本発明は液晶表示装置に関することで、特に作業性の向上及び製造費用を節減することができるようにしたチップ実装フィルム及びそれを利用した液晶表示装置に関することである。
【背景技術】
【０００２】
通常の液晶表示装置は電界を利用して液晶の光透過率を調節することで画像を表示する。
【０００３】
これのために、液晶表示装置は図１に示したように液晶セルなどがマトリックス形態で配列された液晶パネル（２）と、液晶パネル（２）のゲートラインなど（ＧＬ１乃至ＧＬｎ）を駆動するためのゲート・ドライバ（６）と、液晶パネル（２）のデータラインなど（ＤＬ１乃至ＤＬｍ）を駆動するためのデータ・ドライバ（４）と、ゲート・ドライバ（６）とデータ・ドライバ（４）を制御するためのタイミング制御部（８）とを具備する。
【０００４】
液晶パネル（２）はゲートラインなど（ＧＬ１乃至ＧＬｎ）とデータラインなど（ＤＬ１乃至ＤＬｍ）の交差部毎に形成された薄膜トランジスタ（ＴＦＴ）と、薄膜トランジスタ（ＴＦＴ）と接続された液晶セル（７）とを具備する。薄膜トランジスタ（ＴＦＴ）はゲートライン（ＧＬ）からのスキャン信号、即ちゲート・ハイ電圧（ＶＧＨ）が供給される場合、ターン・オンされてデータライン（ＤＬ）からの画素信号を液晶セル（７）に供給する。そして、薄膜トランジスタ（ＴＦＴ）はゲートライン（ＧＬ）からゲート・ロー電圧（ＶＧＬ）が供給される場合、ターン・オフされて液晶セル（７）に充電された画素信号が維持されるようにする。
【０００５】
液晶セル（７）は等価的に液晶容量のキャパシティで表現されて、液晶を間に置いて対面する共通電極と薄膜トランジスタ（ＴＦＴ）に接続された画素電極を含む。そして、液晶セル（７）は充電された画素信号が次の画素信号が充電される際まで安定的に維持されるようにするためにストリッジ・キャパシティとを更に具備する。このストリッジ・キャパシティは画素電極と以前段のゲートラインの間に形成される。このような液晶セル（７）は薄膜トランジスタ（ＴＦＴ）を通して充電される画素信号につれて誘電異方性を有する液晶の配列状態が可変して光透過率を調節することでグラデーションを具現するようになる。
【０００６】
タイミング制御部（８）は図示されないビデオ・カードから供給される同期信号（Ｖ，Ｈ）を利用してゲート制御信号など（ＧＳＰ，ＧＳＣ，ＧＯＥ）及びデータ制御信号など（ＳＳＰ，ＳＳＣ，ＳＯＥ，ＰＯＬ）を発生する。ゲート制御信号など（ＧＳＰ，ＧＳＣ，ＧＯＥ）はゲート・ドライバ（６）に供給されてゲート・ドライバを制御するようになり、データ制御信号など（ＳＳＰ，ＳＳＣ，ＳＯＥ，ＰＯＬ）はデータ・ドライバ（４）に供給されてデータ・ドライバを除去するようになる。共に、タイミング制御部（８）は赤色（Ｒ）、緑色（Ｇ）及び青色（Ｂ）の画素データ（ＶＤ）を整列してデータ・ドライバ（４）に供給する。
【０００７】
ゲート・ドライバ（６）はゲートラインなど（ＧＬ１乃至ＧＬｎ）を順次に駆動させる。このために、ゲート・ドライバ（６）は図２ａのように多数のゲート集積回路（以下、”ＩＣ”という）（１０）とを具備する。ゲートＩＣ（１０）などは自分に接続されたゲートラインなど（ＧＬ１乃至ＧＬｎ）をタイミング制御部（８）からの制御によって順次に駆動させる。もう一度言って、ゲートＩＣ（１０）などはタイミング制御部（８）から供給されるゲート制御信号など（ＧＳＰ，ＧＳＣ，ＧＯＥ）に応答してゲートラインなど（ＧＬ１乃至ＧＬｎ）に順次にゲート・ハイ電圧（ＶＧＨ）を順次に供給する。
【０００８】
具体的に、ゲート・ドライバ（６）はゲート・スタート・パルス（ＧＳＰ）をゲート・シフト・クラック（ＧＳＣ）につれてシフトさせてシフトパルスを発生する。そして、ゲート・ドライバ（６）はシフト・パルスに応答して水平期間毎に当たるゲートライン（ＧＬ）にゲート・ハイ電圧（ＶＧＨ）を供給するようになる。もう一度言って、シフトパルスは水平期間毎に一ラインずつシフトされて、ゲートＩＣ（１０）などの中のいずれか一つはシフトパルスに対応されて当たるゲートライン（ＧＬ）にゲート・ハイ電圧（ＶＧＨ）を供給する。この場合、ゲートＩＣ（１０）などはゲートラインなど（ＧＬ１乃至ＧＬｎ）にゲート・ハイ電圧（ＶＧＨ）が供給されない残りの期間ではゲート・ロー電圧（ＶＧＬ）を供給する。
【０００９】
データ・ドライバ（４）は水平期間毎に１ライン分ずつの画素信号をデータラインなど（ＤＬ１乃至ＤＬｍ）に供給する。このために、データ・ドライバ（４）は図２ｂのように多数のデータＩＣ（１６）などを具備する。データＩＣ（１６）などはタイミング制御部（８）から供給されるデータ制御信号など（ＳＳＰ，ＳＳＣ，ＳＯＥ，ＰＯＬ）に応答してデータラインなど（ＤＬ１乃至ＤＬｍ）に画素信号を供給する。この際、データＩＣ（１６）などはタイミング制御部（８）からの画素データ（ＶＤ）をガンマ電圧発生部（図示しない）からのガンマ電圧を利用してアナログ画素信号に変換して出力する。
【００１０】
具体的に、データＩＣ（１６）などはソース・スタート・パルス（ＳＳＰ）をソース・シフト・クラック（ＳＳＣ）につれてシフトさせてサンプリング信号を発生する。続いて、データＩＣ（１６）などはサンプリング信号に応答して画素データ（ＶＤ）を一定の単位ずつ順次にラッチする。以後、ラッチされた１ライン分の画素データ（ＶＤ）をアナログ画素信号に変換してソース出力エナーブル信号（ＳＯＥ）のエナーブル期間にデータラインなど（ＤＬ１乃至ＤＬｍ）に供給するようになる。この場合、データＩＣ（１６）などは画素データ（ＶＤ）を極性制御信号（ＰＯＬ）に応答して正極性または負極性の画素信号に変換するようになる。
【００１１】
このために、データＩＣ（１６）などのそれぞれは図３に示したように順次のサンプリング信号を供給するシフト・レジスタ部（３４）と、サンプリング信号に応答して画素データ（ＶＤ）を順次にラッチして同時に出力するラッチ部（３６）と、ラッチ部（３６）からの画素データ（ＶＤ）を画素電圧信号に変換するデジタル・アナログ変換部（以下、”ＤＡＣ部”という）（３８）と、ＤＡＣ（３８）からの画素電圧信号を緩衝して出力する出力バッファ部（４６）とを具備する。また、データＩＣ（１６）などはタイミング制御部（８）から供給される各種の制御信号など（ＳＳＰ，ＳＳＣ，ＳＯＥ，ＲＥＶ，ＰＯＬなど）と画素データ（ＶＤ）を中継する信号制御部（２０）と、ＤＡＣ部（３８）で必要とする正極性及び負極性のガンマ電圧などを供給するガンマ電圧部（３２）とを更に具備する。
【００１２】
信号制御部（２０）はタイミング制御部（図示しない）からの各種の制御信号など（ＳＳＰ，ＳＳＣ，ＳＯＥ，ＲＥＶ，ＰＯＬなど）と画素データ（ＶＤ）が当たる構成要素などで出力されるように制御する。
【００１３】
ガンマ電圧部（３２）はガンマ基準電圧の発生部（図示しない）から入力される多数このガンマ基準電圧をグレイ別に細分化して出力する。
【００１４】
シフト・レジスタ部（３４）に含まれたシフト・レジスタなどは信号制御部（２０）からのソース・スタート・パルス（ＳＳＰ）をソース・シフト・クラック（ＳＳＣ）につれてシフトさせてサンプリング信号に出力する。
【００１５】
ラッチ部（３６）はシフト・レジスタ部（３４）からのサンプリング信号に応答して信号制御部（２０）からの画素データ（ＶＤ）を一定単位ずつ順次にサンプリングしてラッチするようになる。このために、ラッチ部（３６）はｉ（ｉは自然数）個の画素データ（ＶＤ）をラッチするためにｉ個のラッチなどで構成されて、ラッチなどのそれぞれは画素データ（ＶＤ）のビット数に対応する大きさを有する。特に、タイミング制御部（８）は伝送周波数を減らすために画素データ（ＶＤ）をイーブン画素データ（ＶＤｅｖｅｎ）とオード画素データ（ＶＤｏｄｄ）に分けてそれぞれの伝送ラインを通して同時に出力するようになる。ここで、イーブン画素データ（ＶＤｅｖｅｎ）とオード画素データ（ＶＤｏｄｄ）のそれぞれは赤（Ｒ），緑（Ｇ），青（Ｂ）画素データを含む。これにつれてラッチ部（３６）はサンプリング信号毎に信号制御部（２０）を経由して供給されるイーブン画素データ（ＶＤｅｖｅｎ）とオード画素データ（ＶＤｏｄｄ）を同時にラッチするようになる。続いて、ラッチ部（３６）は信号制御部（２０）からのソース出力エナーブル信号（ＳＯＥ）に応答してラッチされたｉ個の画素データ（ＶＤ）を同時に出力する。この場合、ラッチ部（３６）はデータ反転選択信号（ＲＥＶ）に応答してトランジーション・ビット数が減らすように変造された画素データ（ＶＤ）などを復元させて出力するようになる。これはタイミング制御部（８）でデータ伝送の際に電磁気的な干渉（ＥＭＩ）を最小化するためにトランジーションされるビット数が基準値を越す画素データ（ＶＤ）などはトランジーション・ビット数が減るように変造して供給するためである。
【００１６】
ＤＡＣ部（３８）はラッチ部（３６）からの画素データ（ＶＤ）を同時に正極性及び負極性の画素電圧信号に変換して出力するようになる。このために、ＤＡＣ部（３８）はラッチ部（３６）に共通接続されたＰ（ポジティブ）デコーディング部（４０）及びＮ（ネガティブ）デコーディング部（４２）ト、Ｐデコーディング部（４０）及びＮデコーディング部（４２）の出力信号を選択するためのマルチプレクサ（ＭＵＸ；４４）とを具備する。
【００１７】
Ｐデコーディング部（４０）に含まれるｎ個のＰデコーダーなどはラッチ部（３６）から同時に入力されるｎ個の画素データなどをガンマ電圧部（３２）からの正極性のガンマ電圧などを利用して正極性が祖電圧信号に変換するようになる。Ｎデコーディング部（４２）に含まれるｉ個のＮデコーダーなどはラッチ部（３６）から同時に入力されるｉ個の画素データなどをガンマ電圧部（３２）からの負極性ガンマ電圧などを利用して負極性の画素電圧信号に変換するようになる。マルチプレクサ部（４４）に含まれるｉ個のマルチプレクサなどは信号制御部（２０）からの極性制御信号（ＰＯＬ）に応答してＰデコーダー（４０）からの正極性の画素電圧信号またはＮデコーダー（４２）からの負極性の画素電圧信号を選択して出力するようになる。
【００１８】
出力バッファ部（４６）に含まれるｉ個の出力バッファなどはｉ個のデータラインなど（ＤＬ１乃至ＤＬｉ）などに直列にそれぞれ接続された電圧ホロワーなどで構成される。このような出力バッファなどはＤＡＣ部（１３８）の画素電圧信号などを信号緩衝してデータラインなど（ＤＬ１乃至ＤＬｉ）に供給するようになる。
【００１９】
このような従来の液晶表示装置は液晶パネル（２）の解像図につれてデータ・ドライバ（４）が具備するデータＩＣ（１６）の出力チャンネルが違ってくる。これは、液晶パネル（２）の解像図別にデータライン（ＤＬ）に接続されることができる一定のチャンネルを有するデータＩＣ（１６）などが違ってくるためである。これにつれて、液晶パネル（２）の解像図別に相互異なる出力チャンネルを有する相互異なる数のデータＩＣ（１６）などを使用することで作業性の低下及び製造費用が浪費される短所がある。
【００２０】
これを詳細に説明すると、液晶パネル（２）の解像図がＸＧＡ級（１０２４×３）である液晶表示装置は３０７２個のデータライン（ＤＬ）数を有することで７６８個のデータ出力チャンネルを有する四つのデータＩＣ（１６）が必要になる。また、液晶パネル（２）の解像図がＳＸＧＡ＋級（１４００×３）である液晶表示装置は４２００個のデータライン（ＤＬ）数を有するので７０２個のデータ出力チャンネルを有する六つのデータＩＣ（１６）が必要にするようになる。この際、残りの１２個のデータ出力チャンネルはダミーラインに処理される。また、液晶パネル（２）の解像図がＷＸＧＡ級（１２９０×３）である液晶表示装置は３８４０個のデータライン（ＤＬ）の数を有するので６４２個のデータ出力チャンネルはダミーラインに処理される。このために、液晶パネル（２）の解像図別に相互異なる出力チャンネルを有する異なるデータＩＣ（１６）などを使用すべきである。これにつれて、従来の液晶表示装置では作業性の低下及び低下及び製造比率の浪費される短所がある。
【発明の開示】
【発明が解決しようとする課題】
【００２１】
従って、本発明の目的は作業性の向上及び製造費用を節減することができるようにしたチップ実装フィルムとそれを利用した液晶表示装置を提供することである。
【００２２】
本発明の異なる目的は液晶パネルの解像図につれてデータ集積回路の出力チャンネルを制御することができるようにしたチップ実装フィルムとそれを利用した液晶表示装置を提供することにある。
【課題を解決するための手段】
【００２３】
前記目的を達成するために、本発明の実施例によるチップ実装フィルムは多数の出力チャンネルが形成されたデータ駆動集積回路と、前記多数の出力チャンネルの中の画素データが供給されるデータ出力チャンネルを選択するチャンネル選択部；前記データ集積回路が実装されて、前記多数の出力チャンネルに対応される出力パッドが形成されたテープ・キャリア・パッケージとを具備する。
【００２４】
及び、本発明のチップ実裝フィルムは前記データ出力チャンネルを選択するためのチャンネル選択信号を発生する選択信号発生部を具備する。
前記多数の出力チャンネルの中、非選択された出力チャンネルはダミー出力チャンネルである。
【００２５】
前記テープキャリアパッケージの出力パッドは前記データ有效出力チャンネルと接続されたデータ出力パッド群と、前記ダミー出力パネルと接続されてダミー出力パッド群とを具備する。 
前記ダミー出力チャンネル及び前記ダミー出力パッド群はフローティングされる。
【００２６】
前記ダミー出力チャンネル及び前記ダミー出力パッド群は一定常数の電圧に設定される。
【００２７】
前記データ出力パッド群は液晶パネルのデータラインと接続される。 
前記選択信号発生部は前記データラインの数、前記データ集積回路の個数、前記データ集積回路が実裝されるテープキャリアパッケージの幅、前記画素データの入力ライン数の中から少なくとも一つの条件に沿って前記チャンネル選択信号を発生する。
【００２８】
前記チャンネル選択部は前記データ駆動集積回路に内蔵して、前記選択信号発生部は電圧源及び基底電圧源に接続されて前記チャンネル選択信号を発生して前記内蔵したチャンネル選択部で供給する前記データ駆動集積回路の第１及び第２選択端子を具備する。
【００２９】
前記データ駆動集積回路はスタートパルスをシフトさせて順次的なサンプリング信号を発生するシフトレジスタ部と、前記サンプリング信号に応答して画素データをラッチするためのラッチと、前記ラッチからの前記画素データを前記アナログ画素データに変換するデジタル−アナログ変換部と、前記デジタル−アナログ変換部からの画素データをボポリングして前記データ出力チャンネルで供給するバッファー部を追加で具備する。
【００３０】
前記チャンネル選択部は I, J, K, N（ただ, I＜J＜K＜Nで, Nは前記出力チャンネル）のデータ出力チャンネルの中でどの一つを選択する。 
前記チャンネル選択部は前記 I番目, J番目, K番目及び N番目データ出力チャンネルに対応される W番目, X番目, Y番目, Z番目シフトレジスターの中でどの一つの出力信号を次団データ駆動集積回路で供給する。 
前記データ出力チャンネルの数は前記データ駆動集積回路内にプログラム化される。
【００３１】
本発明の実施例によるチップ実裝フィルムは第１及び第２出力チャンネル群に分割された多数の出力チャンネルを持つデータ駆動集積回路と、前記第１及び第２出力チャンネル群のそれぞれで画素データが供給される第１及び第２データ出力チャンネル群のそれぞれを選択するチャンネル選択部と、前記データ集積回路が実裝されて、前記第１及び第２出力チャンネル群に対応される第１及び第２出力パッド群が形成されたテープキャリアパッケージとを具備する。
【００３２】
及び本発明のチップ実裝フィルムは前記第１及び第２データ出力チャンネルを選択するためのチャンネル選択信号を発生する選択信号発生部をさらに具備する。
【００３３】
前記多数の出力チャンネルの中で非選択された出力チャンネルはダミー出力チャンネルで前記第１及び第２データ出力チャンネル領域の間に位する。
【００３４】
前記テープキャリアパッケージの出力パッドは前記第１及び第２データ出力チャンネル群と接続された有效出力パッド群と、前記ダミー出力パネルと接続されてダミー出力パッド群とを具備する。
【００３５】
前記ダミー出力チャンネル及び前記ダミー出力パッド群はフローティングされる。
【００３６】
前記ダミー出力チャンネル及び前記ダミー出力パッド群は一定常数の電圧に設定される。
【００３７】
前記選択信号発生部は前記データラインの数、前記データ集積回路の個数、前記データ集積回路が実裝されるテープキャリアパッケージの幅、前記データ駆動集積回路の画素データの入力ライン数の中で少なくとも一つの条件によって前記チャンネル選択信号を発生する。
【００３８】
前記チャンネル選択部は前記データ駆動集積回路に内蔵して、前記選択信号発生部は電圧源及び基底電圧源に接続されて前記チャンネル選択信号を発生して前記内蔵したチャンネル選択部で供給する前記データ駆動集積回路の第１及び第２選択端子を具備する。
【００３９】
前記データ駆動集積回路はスタートパルスをシフトさせて順次なサンプリング信号を発生するシフトレジスタ部と、前記サンプリング信号に応答して画素データをラーチするためのラーチと、前記ラーチからの前記画素データを前記アナログ画素データに変換するデジタル−アナログ変換部と、前記デジタル−アナログ変換部からの画素データをバッファリングして前記第１及び第２データ出力チャンネル群で供給するバッファ部とをさらに具備する。
【００４０】
前記第１及び第２データ出力パッド群は液晶パネルのデータラインと接続され。
【００４１】
前記データ出力チャンネルグループの少なくとも２個領域は同一な数のデータ出力チャンネルを持つ。
【００４２】
前記第１データ出力チャンネルグループは一番目からI１番目、I２番目、I３番目（ただ、１＜I１＜I２＜I３＜N）中、いずれかまでの出力チャンネルを含む。
【００４３】
前記第２出力チャンネルグループはN番目から J１番目、J２番目、J３番目（ただ、I３＜J１＜J２＜J３＜N）中いずれかまでの出力チャンネルを含む。
【００４４】
前記出力チャンネルの中でI１＋１番目からJ３−１番目まで、I２＋１番目からJ２−１番目まで、I３＋１番目からJ１−１番目の中である一グループは前記ダミー出力チャンネルである。
【００４５】
本発明の実施例による液晶表示装置は多数の出力チャンネルが形成されたデータ駆動集積回路と、前記多数の出力チャンネルの中で画素データが供給されるデータ出力チャンネルを選択して、残りはダミーチャンネルになるようにするチャンネル選択部と、前記データ集積回路が実裝されて、前記データ出力チャンネルと接続されたデータ出力パッド群と、前記ダミーチャンネルと接続されたダミー出力パッド群が形成されたテープキャリアパッケージと、前記テープキャリアパッケージのデータ出力パッド群と接続されたデータラインを持つ液晶パネルとを具備する。
前記データ出力チャンネルの数は前記データ駆動集積回路内にプログラム化される。
及び本発明の液晶表示装置は前記データ出力チャンネルを選択するためのチャンネル選択信号を発生する選択信号発生部をさらに具備する。
【００４６】
前記液晶パネルは前記データラインと前記テープキャリアパッケージのデータ出力パッド群と接続されたデータ入力パッドをさらに具備する。
前記液晶パネルは前記テープキャリアパッケージのダミー出力パッド群と接続されたダミーデータ入力パッド群をさらにもっと具備する。
前記ダミー出力チャンネル及び前記ダミー出力パッド群、ダミーデータ入力パッド群はフローティングされる。
【００４７】
前記ダミー出力チャンネル及び前記ダミー出力パッド群、ダミーデータ入力パッド群は一定常数電圧に設定される。
本発明の実施例による液晶表示装置は第１及び第２出力チャンネル群に分割された多数の出力チャンネルを持つデータ駆動集積回路と、前記第１及び第２出力チャンネル群のそれぞれで画素データが供給される第１及び第２データ出力チャンネル群を選択して、その第１及び第２データ出力チャンネル群の間の非選択された出力チャンネルはダミーチャンネルになるようにするチャンネル選択部と、前記データ集積回路が実裝されて、前記第１及び第２データ出力チャンネル群と接続されたデータ出力パッドと、前記ダミーチャンネルと接続されたダミー出力パッドが形成されたテープキャリアパッケージと、前記テープキャリアパッケージのデータ出力パッドと接続されたデータラインを含む液晶パネルとを具備する。
及び本発明の液晶表示装置は前記第１及び第２データ出力チャンネルを選択するためのチャンネル選択信号を発生する選択信号発生部を具備する。
前記液晶パネルは前記データラインと前記テープキャリアパッケージのデータ出力パッドの間に接続されたデータ入力パッドをさらに具備する。
前記液晶パネルは前記テープキャリアパッケージのダミー出力パッドと接続されたダミーデータ入力パッドをさらにもっと具備する。
前記ダミー出力チャンネル及び前記ダミー出力パッド、ダミーデータ入力パッドはフローティングされる。
前記ダミー出力チャンネル及び前記ダミー出力パッド、ダミーデータ入力パッドは一定常数電圧に設定された。
【００４８】
前記第１及び第２データ出力チャンネルの数は前記データ駆動集積回路内にプログラム化される。
【発明を実施するための最良の形態】
【００４９】
［実施例］
以下、本発明の実施例を添付した図４乃至図２３を参照して詳細に説明する。
【００５０】
図４を参照すると、本発明の第１実施例による液晶表示装置は液晶セルなどがマトリックス形態で配列された液晶パネル（１０２）と、液晶パネル（１０２）のゲートラインなど（ＧＬ１乃至ＧＬｎ）を駆動するためのゲート・ドライバ（１０６）と、液晶パネル（１０２）のデータラインなど（ＤＬ１乃至ＤＬｍ）を駆動するためのデータ・ドライバ（１０４）と、ゲート・ドライバ（１０６）とデータ・ドライバ（１０４）を制御するためのタイミング制御部（１９８）とを具備する。
【００５１】
液晶パネル（１０２）はゲートラインなど（ＧＬ１乃至ＧＬｎ）とデータラインなど（ＤＬ１乃至ＤＬｍ）の交差部毎に形成された薄膜トランジスタ（ＴＦＴ）と、薄膜トランジスタ（ＴＦＴ）と接続された液晶セル（図示しない）とを具備する。薄膜トランジスタ（ＴＦＴ）はゲートライン（ＧＬ）からのスキャン信号、即ちゲート・ハイ電圧（ＶＧＨ）が供給される場合、ターン・オンされてデータライン（ＤＬ）からの画素信号を液晶セルに供給する。そして、薄膜トランジスタ（ＴＦＴ）はゲートライン（ＧＬ）からゲート・ロー電圧（ＶＧＬ）が供給される場合、ターン・オフされて液晶セルに充電された画素信号が維持されるようにする。
【００５２】
液晶セルは等価的に液晶容量のキャパシティで表現されて、液晶を間に置いて対面する共通電極と薄膜トランジスタ（ＴＦＴ）に接続された画素電極を含む。そして、液晶セルは充電された画素信号が次の画素信号が充電される際まで安定的に維持されるようにするためにストリッジ・キャパシティとを更に具備する。このストリッジ・キャパシティは画素電極と以前段のゲートラインの間に形成される。このような液晶セル（７）は薄膜トランジスタ（ＴＦＴ）を通して充電される画素信号につれて誘電異方性を有する液晶の配列状態が可変して光透過率を調節することでグラデーションを具現するようになる。
【００５３】
タイミング制御部（１０８）は図示されないビデオ・カードから供給される同期信号（Ｖ，Ｈ）を利用してゲート制御信号など（ＧＳＰ，ＧＳＣ，ＧＯＥ）及びデータ制御信号など（ＳＳＰ，ＳＳＣ，ＳＯＥ，ＰＯＬ）を発生する。ゲート制御信号など（ＧＳＰ，ＧＳＣ，ＧＯＥ）はゲート・ドライバ（１０６）に供給されてゲート・ドライバを制御するようになり、データ制御信号など（ＳＳＰ，ＳＳＣ，ＳＯＥ，ＰＯＬ）はデータ・ドライバ（１０４）に供給されてデータ・ドライバを除去するようになる。共に、タイミング制御部（１０８）は赤色（Ｒ）、緑色（Ｇ）及び青色（Ｂ）の画素データ（ＶＤ）を整列してデータ・ドライバ（１０４）に供給する。
【００５４】
ゲート・ドライバ（１０６）はゲートラインなど（ＧＬ１乃至ＧＬｎ）を順次に駆動させる。このために、ゲート・ドライバ（１０６）は多数のゲートＩＣ（図示しない）とを具備する。ゲートＩＣなどは自分に接続されたゲートラインなど（ＧＬ１乃至ＧＬｎ）をタイミング制御部（１０８）からの制御によって順次に駆動させる。もう一度言って、ゲートＩＣなどはタイミング制御部（１０８）から供給されるゲート制御信号など（ＧＳＰ，ＧＳＣ，ＧＯＥ）に応答してゲートラインなど（ＧＬ１乃至ＧＬｎ）に順次にゲート・ハイ電圧（ＶＧＨ）を順次に供給する。
【００５５】
具体的に、ゲート・ドライバ（１０６）はゲート・スタート・パルス（ＧＳＰ）をゲート・シフト・クラック（ＧＳＣ）につれてシフトさせてシフトパルスを発生する。そして、ゲート・ドライバ（１０６）はシフト・パルスに応答して水平期間毎に当たるゲートライン（ＧＬ）にゲート・ハイ電圧（ＶＧＨ）を供給するようになる。もう一度言って、シフトパルスは水平期間毎に一ラインずつシフトされて、ゲートＩＣなどの中のいずれか一つはシフトパルスに対応されて当たるゲートライン（ＧＬ）にゲート・ハイ電圧（ＶＧＨ）を供給する。この場合、ゲートＩＣ（１０）などはゲートラインなど（ＧＬ１乃至ＧＬｎ）にゲート・ハイ電圧（ＶＧＨ）が供給されない残りの期間ではゲート・ロー電圧（ＶＧＬ）を供給する。
【００５６】
データ・ドライバ（１０４）は水平期間毎に１ライン分ずつの画素信号をデータラインなど（ＤＬ１乃至ＤＬｍ）に供給する。このために、データ・ドライバ（１０４）は多数のデータＩＣ（１１６）などを具備する。データＩＣ（１１６）などのそれぞれはテープ・キャリアー・パッケージ（以下、”データＴＣＰ”という）（１１０）の上に実装される。このような、データＩＣ（１１６）などは電気的に接続される。そして、データＩＣ（１１６）などはタイミング制御部（１０８）から供給されるデータ制御信号など（ＳＳＰ，ＳＳＣ，ＳＯＥ，ＰＯＬ）に応答してデータラインなど（ＤＬ１乃至ＤＬｍ）に画素信号を供給する。この際、データＩＣ（１１６）などはタイミング制御部（１０８）からの画素データ（ＶＤ）をガンマ電圧発生部（図示しない）からのガンマ電圧を利用してアナログ画素信号に変換して出力する。
【００５７】
具体的に、データＩＣ（１１６）などはソース・スタート・パルス（ＳＳＰ）をソース・シフト・クラック（ＳＳＣ）につれてシフトさせてサンプリング信号を発生する。続いて、データＩＣ（１１６）などはサンプリング信号に応答して画素データ（ＶＤ）を一定の単位ずつ順次にラッチする。以後、ラッチされた１ライン分の画素データ（ＶＤ）をアナログ画素信号に変換してソース出力エナーブル信号（ＳＯＥ）のエナーブル期間にデータラインなど（ＤＬ１乃至ＤＬｍ）に供給するようになる。この場合、データＩＣ（１１６）などは画素データ（ＶＤ）を極性制御信号（ＰＯＬ）に応答して正極性または負極性の画素信号に変換するようになる。
【００５８】
一方、本発明の第１実施例による液晶表示装置のデータＩＣ（１１６）などのそれぞれは外部から入力される第１及び第２チャンネル選択信号（Ｐ１，Ｐ２）に応答してデータラインなど（ＤＬ１乃至ＤＬｍ）に画素信号を供給するための出力チャンネルを変更するようになる。このために、データＩＣ（１１６）などのそれぞれは第１及び第２チャンネル選択信号（Ｐ１，Ｐ２）が供給される第１及び第２オプションピン（ＯＰ１，ＯＰ２）とを具備する。
【００５９】
第１及び第２オプションピン（ＯＰ１，ＯＰ２）のそれぞれは電圧源（ＶＣＣ）及び基底電圧源（ＧＮＤ）に選択的に接続されて２ビット２進論理値を有するようになる。これにつれて、第１及び第２オプションピン（ＯＰ１，ＯＰ２）を通してデータＩＣ（１１６）に供給される第１及び第２チャンネル選択信号（Ｐ１，Ｐ２）は”００”、”０１”、”１０”及び”１１”の値を有するようになる。
【００６０】
これにつれて、データＩＣ（１１６）などのそれぞれは第１及び第２オプションピン（ＯＰ１，ＯＰ２）を通して供給される第１及び第２チャンネル選択信号（Ｐ１，Ｐ２）につれて液晶パネル（１０２）の解像図につれてすでに設定された出力チャンネルを有するようになる。
【００６１】
このような液晶パネル（１０２）の解像図につれてデータＩＣ（１１６）の出力チャンネルによるデータＩＣ（１１６）の個数を表１に表した。
【００６２】
【表１】
2005182010.tif 000003
【００６３】
表１を参照すると、四つチャンネルですべての解像図を表現することができることがわかる。即ち、ＸＧＡ級の解像図を有する液晶パネル（１０２）では６１８個のデータ出力チャンネルを有する五つのデータＩＣ（１１６）が必要となる。この際、残る１８個のデータ出力チャンネルはダミーラインを処理する。また、ＳＸＧＡ＋級の解像図を有する液晶パネル（１０２）では６００個のデータ出力チャンネルを有する七つのデータＩＣ（１１６）が必要となる。また、ＵＸＧＡ＋級の解像図を有する液晶パネル（１０２）では６００個のデータ出力チャンネルを有する八つのデータＩＣ（１１６）が必要となる。そして、ＷＸＧＡ＋級の解像図を有する液晶パネル（１０２）では６４２個のデータ出力チャンネルを有する六つのデータＩＣ（１１６）が必要となる。また、ＷＳＸＧＡ−級の解像図を有する液晶パネル（１０２）では６１８個のデータ出力チャンネルを有する七つのデータＩＣ（１１６）が必要となる。また、ＷＳＸＧＡ級の解像図を有する液晶パネル（１０２）では６３０個のデータ出力チャンネルを有する八つのデータＩＣ（１１６）が必要となる。また、ＷＵＸＧＡ級の解像図を有する液晶パネル（１０２）では６４２個のデータ出力チャンネルを有する九つのデータＩＣ（１１６）が必要となる。
【００６４】
これにつれて、本発明の第１実施例による液晶表示装置は第１及び第２チャンネル選択信号（Ｐ１，Ｐ２）につれてデータＩＣ（１１６）の出力チャンネルを６００チャンネル、６１８チャンネル、６３０チャンネル及び６４２チャンネルの中のいずれか一つで設定することで液晶パネル（１０２）のすべての解像図を表現することができる。もう一度言って、本発明の第１実施例による液晶表示装置のデータＩＣ（１１６）は６４２個のデータ出力チャンネルを有するように製造して、第１及び第２オプションピン（ＯＰ１，ＯＰ２）からの第１及び第２チャンネル選択信号（Ｐ１，Ｐ２）につれてデータＩＣ（１１６）の出力チャンネルを設定することで液晶パネル（１０２）のすべての解像図に共用に使用することができる。
【００６５】
これを詳細に説明すると、本発明の第１実施例による液晶表示装置のデータＩＣ（１１６）は６４２個のデータ出力チャンネルを有するように製造される。
【００６６】
第１及び第２オプションピン（ＯＰ１，ＯＰ２）のそれぞれが基底電圧源（ＧＮＤ）に接続されてデータＩＣ（１１６）に供給される第１及び第２チャンネル選択信号（Ｐ１，Ｐ２）の値が”００”である場合にデータＩＣ（１１６）は図５に示したように６４２個のデータ出力チャンネルの中の第１乃至第６００データ出力チャンネルを通して画素電圧信号を出力するようになる。この際、第６０１乃至第６４２出力チャンネルはダミー出力チャンネルになる。また、第１オプションピン（ＯＰ１）が基底電圧源（ＧＮＤ）に接続されると共に第２オプションピン（ＯＰ２）が電圧源（ＶＣＣ）に接続されてデータＩＣ（１１６）に供給される第１及び第２チャンネル選択信号（Ｐ１，Ｐ２）の値が”０１”である場合にデータＩＣ（１１６）は図６に示したように６４２個のデータ出力チャンネルの中の第１乃至第６１８データ出力チャンネルを通して画素電圧信号を出力するようになる。この際、第６１９乃至第６４２出力チャンネルはダミー出力チャンネルになる。そして、第１オプションピン（ＯＰ１）が電圧源（ＶＣＣ）に接続されると共に第２オプションピン（ＯＰ２）が基底電圧源（ＧＮＤ）に接続されてデータＩＣ（１１６）に供給される第１及び第２チャンネル選択信号（Ｐ１，Ｐ２）の値が”１０”である場合にデータＩＣ（１１６）は図７に示したように６４２個のデータ出力チャンネルの中の第１乃至第６３０データ出力チャンネルを通して画素電圧信号を出力するようになる。この際、第６３１乃至第６４２出力チャンネルはダミー出力チャンネルになる。最後に、第１及び第２オプションピン（ＯＰ１、ＯＰ２）のそれぞれが電圧源（ＶＣＣ）に接続されてデータＩＣ（１１６）に供給される第１及び第２チャンネル選択信号（Ｐ１，Ｐ２）の値が”１１”である場合にデータＩＣ（１１６）は図８に示したように第１乃至第６４２データ出力チャンネルを通して画素電圧信号を出力するようになる。
【００６７】
これにつれて、本発明の第１実施例による液晶表示装置のデータＩＣ（１１６）は図９に示したように第１及び第２オプションピン（ＯＰ１、ＯＰ２）に供給される第１及び第２チャンネル選択信号（Ｐ１，Ｐ２）につれてデータＩＣ（１１６）の出力チャンネルを設定するためのチャンネル選択部（１３０）と、順次的であるサンプリング信号を供給するためのシフト・レジスタ部（１３４）と、サンプリング信号に応答して画素データ（ＶＤ）を順次にラッチして同時に出力するラッチ部（１３６）と、ラッチ部（１３６）からの画素データ（ＶＤ）を画素電圧信号に変換するデジタル・アナログ変換部（以下、”ＤＡＣ部”という）（１３８）と、ＤＡＣ（１３８）からの画素電圧信号を緩衝して出力する出力バッファ部（１４６）とを具備する。
【００６８】
また、データＩＣ（１１６）などはタイミング制御部（１０８）から供給される各種の制御信号などと画素データ（ＶＤ）を中継する信号制御部（１２０）と、ＤＡＣ部（１３８）で必要とする正極性及び負極性のガンマ電圧などを供給するガンマ電圧部（１３２）とを更に具備する。
【００６９】
信号制御部（１２０）はタイミング制御部（１０８）からの各種の制御信号など（ＳＳＰ，ＳＳＣ，ＳＯＥ，ＲＥＶ，ＰＯＬなど）と画素データ（ＶＤ）が当たる構成要素などで出力されるように制御する。
【００７０】
ガンマ電圧部（１３２）はガンマ基準電圧の発生部（図示しない）から入力される多数このガンマ基準電圧をグレイ別に細分化して出力する。
【００７１】
チャンネル選択部（１３０）は第１及び第２オプションピン（ＯＰ１、ＯＰ２）を通して第１及び第２チャンネル選択信号（Ｐ１，Ｐ２）につれて第１乃至第４チャンネル制御信号（ＣＳ１乃至ＣＳ４）をシフト・レジスタ部（１３４）に供給するようになる。即ち、チャンネル選択部（１３０）は”００”の値を有する第１及び第２チャンネル選択信号（Ｐ１，Ｐ２）に対応される第１チャンネル制御信号（ＣＳ１）と、”０１”の値を有する第１及び第２チャンネル選択信号（Ｐ１，Ｐ２）に対応される第２チャンネル制御信号（ＣＳ２）と、”１０”の値を有する第１及び第２チャンネル選択信号（Ｐ１，Ｐ２）に対応される第３チャンネル制御信号（ＣＳ３）と、”１１”の値を有する第１及び第２チャンネル選択信号（Ｐ１，Ｐ２）に対応される第４チャンネル制御信号（ＣＳ４）を発生する。
【００７２】
シフト・レジスタ部（１３４）に含まれたシフト・レジスタなどは信号制御部（１２０）からのソース・スタート・パルス（ＳＳＰ）をソース・シフト・クラック（ＳＳＣ）につれてシフトさせてサンプリング信号に出力する。この際、シフト・レジスタ部（１３４）は６４２個のシフト・レジスタなど（ＳＲ１乃至ＳＲ６４２）で構成される。
【００７３】
このような、シフト・レジスタ部（１３４）はチャンネル選択部（１３０）からの第１乃至第４チャンネル制御信号（ＣＳ１乃至ＣＳ４）につれて第６００、第６１８、第６３０及び第６４２シフト・レジスタ（ＳＲ６００、ＳＲ６２８、ＳＲ６３０、ＳＲ６４２）のそれぞれの出力信号を次の段データＩＣ（１１６）に供給するようになる。
【００７４】
具体的に、チャンネル選択部（１３０）から第１チャンネル制御信号（ＣＳ１）に供給される場合にシフト・レジスタ部（１３４）は第１乃至第６００番目のシフト・レジスタなど（ＳＲ１乃至ＳＲ６００）を利用して信号制御部（１２０）からのソース・スタート・パルス（ＳＳＰ）をソース・サンプリング・クラック信号（ＳＳＣ）につれて順次にシフトさせてサンプリング信号に出力するようになる。この際、第６００番目のシフト・レジスタなど（ＳＲ６００）の出力信号（キャリ信号）を次の段のデータＩＣ（１１６）の一番目のシフト・レジスタ（ＳＲ１）に供給するようになる。これにつれて、第６０１乃至第６４２シフト・レジスタ（ＳＲ６０１乃至ＳＲ６４２）はサンプリング信号を出力しなくなる。ここで、シフト・レジスタが陽の方向に駆動される場合に中間の４２個のチャンネルを使用しなくてダミー処理して構造の上、もっと有利に使用することができる。
【００７５】
一方、チャンネル選択部（１３０）から第２チャンネル制御信号（ＣＳ２）に供給される場合にシフト・レジスタ部（１３４）は第１乃至第６１８番目のシフト・レジスタなど（ＳＲ１乃至ＳＲ６１８）を利用して信号制御部（１２０）からのソース・スタート・パルス（ＳＳＰ）をソース・サンプリング・クラック信号（ＳＳＣ）につれて順次にシフトさせてサンプリング信号に出力するようになる。この際、第６１８番目のシフト・レジスタなど（ＳＲ６００）の出力信号（キャリ信号）を次の段のデータＩＣ（１１６）の一番目のシフト・レジスタ（ＳＲ１）に供給するようになる。これにつれて、第６１９乃至第６４２シフト・レジスタ（ＳＲ６１９乃至ＳＲ６４２）はサンプリング信号を出力しなくなる。
【００７６】
一方、チャンネル選択部（１３０）から第３チャンネル制御信号（ＣＳ３）に供給される場合にシフト・レジスタ部（１３４）は第１乃至第６３０番目のシフト・レジスタなど（ＳＲ１乃至ＳＲ６３０）を利用して信号制御部（１２０）からのソース・スタート・パルス（ＳＳＰ）をソース・サンプリング・クラック信号（ＳＳＣ）につれて順次にシフトさせてサンプリング信号に出力するようになる。この際、第６３０番目のシフト・レジスタなど（ＳＲ６００）の出力信号（キャリ信号）を次の段のデータＩＣ（１１６）の一番目のシフト・レジスタ（ＳＲ１）に供給するようになる。これにつれて、第６３１乃至第６４２シフト・レジスタ（ＳＲ６３１乃至ＳＲ６４２）はサンプリング信号を出力しなくなる。ここで、シフト・レジスタが陽の方向に駆動される場合に中間の１２個のチャンネルを使用しなくてダミー処理して構造の上、もっと有利に使用することができる。
【００７７】
一方、チャンネル選択部（１３０）から第４チャンネル制御信号（ＣＳ４）に供給される場合にシフト・レジスタ部（１３４）は第１乃至第６４２番目のシフト・レジスタなど（ＳＲ１乃至ＳＲ６４２）を利用して信号制御部（１２０）からのソース・スタート・パルス（ＳＳＰ）をソース・サンプリング・クラック信号（ＳＳＣ）につれて順次にシフトさせてサンプリング信号に出力するようになる。この際、第６４２番目のシフト・レジスタなど（ＳＲ６００）の出力信号（キャリ信号）を次の段のデータＩＣ（１１６）の一番目のシフト・レジスタ（ＳＲ１）に供給するようになる。
【００７８】
ラッチ部（３６）はシフト・レジスタ部（１３４）からのサンプリング信号に応答して信号制御部（１２０）からの画素データ（ＶＤ）を一定単位ずつ順次にサンプリングしてラッチするようになる。このために、ラッチ部（１３６）は６４２個の画素データ（ＶＤ）をラッチするために６４２個のラッチなどで構成されて、ラッチなどのそれぞれは画素データ（ＶＤ）のビット数に対応する大きさを有する。特に、タイミング制御部（１０８）は伝送周波数を減らすために画素データ（ＶＤ）をイーブン画素データ（ＶＤｅｖｅｎ）とオード画素データ（ＶＤｏｄｄ）に分けてそれぞれの伝送ラインを通して同時に出力するようになる。ここで、イーブン画素データとオード画素データのそれぞれは赤（Ｒ），緑（Ｇ），青（Ｂ）画素データを含む。
【００７９】
これにつれてラッチ部（１３６）はサンプリング信号毎に信号制御部（１２０）を経由して供給されるイーブン画素データとオード画素データを同時にラッチするようになる。続いて、ラッチ部（１３６）は信号制御部（１２０）からのソース出力エナーブル信号（ＳＯＥ）に応答してラッチされた６３０個、６３０個及び６４２個の中のいずれか一つのデータ出力チャンネルを通して画素データ（ＶＤ）を同時に出力する。この場合、ラッチ部（１３６）はデータ反転選択信号（ＲＥＶ）に応答してトランジーション・ビット数が減らすように変造された画素データ（ＶＤ）などを復元させて出力するようになる。これはタイミング制御部（１０８）でデータ伝送の際に電磁気的な干渉（ＥＭＩ）を最小化するためにトランジーションされるビット数が基準値を越す画素データ（ＶＤ）などはトランジーション・ビット数が減るように変造して供給するためである。
【００８０】
ＤＡＣ部（１３８）はラッチ部（１３６）からの画素データ（ＶＤ）を同時に正極性及び負極性の画素電圧信号に変換して出力するようになる。このために、ＤＡＣ部（１３８）はラッチ部（１３６）に共通接続されたＰ（Ｐｏｓｉｔｉｖｅ）デコーディング部（１４０）及びＮ（Ｎｅｇａｔｉｖｅ）デコーディング部（１４２）ト、Ｐデコーディング部（１４０）およびＮデコーディング部（１４２）の出力信号を選択するためのマルチプレクサ（ＭＵＸ；１４４）とを具備する。
【００８１】
Ｐデコーディング部（１４０）に含まれるｎ個のＰデコーダーなどはラッチ部（１３６）から同時に入力されるｎ個の画素データなどをガンマ電圧部（１３２）からの正極性のガンマ電圧などを利用して正極性が祖電圧信号に変換するようになる。Ｎデコーディング部（１４２）に含まれるｉ個のＮデコーダーなどはラッチ部（１３６）から同時に入力されるｉ個の画素データなどをガンマ電圧部（３２）からの負極性ガンマ電圧などを利用して負極性の画素電圧信号に変換するようになる。マルチプレクサ部（１４４）に含まれる最大６４２個のマルチプレクサなどは信号制御部（１２０）からの極性制御信号（ＰＯＬ）に応答してＰデコーダー（１４０）からの正極性の画素電圧信号またはＮデコーダー（１４２）からの負極性の画素電圧信号を選択して出力するようになる。
【００８２】
出力バッファ部（１４６）に含まれる最大６４２個の出力バッファなどは最大６４２個のデータラインなど（ＤＬ１乃至ＤＬ６４２）などに直列にそれぞれ接続された電圧ホロワーなどで構成される。このような出力バッファなどはＤＡＣ部（１３８）からの画素電圧信号などを信号緩衝してデータラインなど（ＤＬ１乃至ＤＬ６４２）に供給するようになる。
【００８３】
このような本発明の第１実施例による液晶表示装置で６００個のデータ出力チャンネルを有するデータＩＣ（１１６）は表１に表したようにＳＸＧＡ＋級及びＵＸＧＡ急の解像図を有する液晶パネル（１０２）に使用されて、６１８個のデータ出力チャンネルを有するデータＩＣ（１１６）はＷＳＸＧＡ級の解像図を有する液晶パネル（１０２）に使用されて、６４２個のデータ出力チャンネルを有するデータＩＣ（１１６）はＷＸＧＡ級とＷＵＸＧＡ級の解像図を有する液晶パネル（１０２）に使用される。
一方、本発明の第１実施例による液晶表示装置のデータＩＣ（１１６）は図１０に示したようにデータＴＣＰ（１１０）に実装される。
【００８４】
データＴＣＰ（１１０）には図示しないデータ印刷回路基板に接続される入力パッド群などと、液晶パネル（１０２）に接続されるデータ出力パッド群（１６０）及びダミー・データ出力パッド群（１６４）が形成される。この際、データＴＣＰ（１１０）上に形成されるデータ出力パッド群（１６０）のパッド数とダミー・データ出力パッド群（１６４）のパッド数の合はデータＩＣ（１１６）の出力チャンネルと同一になる。
【００８５】
データ出力パッド群（１６０）はデータＴＣＰ（１１０）上に形成される信号敗戦を通してデータＩＣ（１１６）のデータ出力チャンネル群に接続される。このようなデータ出力パッド群（１６０）のパッドの数は第１及び第２チャンネル選択信号（Ｐ１，Ｐ２）によってデータＩＣ（１１６）の出力チャンネルと同一になる。例えば、上述のように第１及び第２チャンネル選択信号（Ｐ１，Ｐ２）によってデータＴＣＰ（１１０）の出力チャンネルが６４２個のデータ出力チャンネルの中の６００個のデータ出力チャンネルに選択されるとデータＴＣＰ（１１０）のデータ出力パッド群（１６０）もまた６００個の出力パッドを有するようになる。
【００８６】
ダミー・データ出力パッド群（１６４）は第１及び第２チャンネル選択信号（Ｐ１，Ｐ２）によって選択されたデータＩＣ（１１６）の出力チャンネルを除いた残りのデータＩＣ（１１６）の出力チャンネルと同一になる。例えば、上述のようにデータＩＣ（１１６）の出力チャンネルが第１及び第２チャンネル選択信号（Ｐ１，Ｐ２）によって６４２個のデータ出力チャンネルの中の６００個のデータ出力チャンネルに選択されるとデータＴＣＰ（１１０）のダミー・データ出力パッド群（１６４）は４２個のダミー出力パッドを有するようになる。
【００８７】
このような、データＴＣＰ（１１０）は図１１に示したように液晶パネル（１０２）の下部基板の上に形成されたデータパッド部（１８６）に取り付けられる。
【００８８】
データパッド部（１８６）には図１２に示したようにデータＴＣＰ（１１０）のデータ出力パッド群（１６０）が取り付けられるデータ入力パッド群（１８０）及びデータＴＣＰ（１１０）のダミー・データ出力パッド群（１６４）が取り付けられるダミー・データ入力パッド群（１８４）が形成される。
【００８９】
データ入力パッド群（１８０）のパッド数はデータＴＣＰ（１１０）のデータ出力パッド群（１６０）のパッド数と同一になる。このような、データ入力パッド群（１８０）のパッドなどのそれぞれはリンク（１１８）を通してデータラインなど（ＤＬ）に接続される。
【００９０】
このような、本発明の第１実施例による液晶表示装置は上述したところのように第１及び第２チャンネル選択信号（Ｐ１，Ｐ２）によって変更されるデータＩＣ（１１６）の出力チャンネルに対応されるようにデータＴＣＰ（１１０）のデータ出力パッド群（１６０）、液晶パネル（１０２）のデータ入力パッド群（１８０）を同一に設計するようになる。
【００９１】
本発明の第１実施例による液晶表示装置は上述したところのように第１及び第２オプションピン（ＯＰ１、ＯＰ２）に供給される第１及び第２チャンネル選択信号（Ｐ１，Ｐ２）によって表１に表したように液晶パネル（１０２）の解像図につれてデータＩＣ（１１６）の出力チャンネルを設定することで一種類のデータＩＣ（１１６）だけでもすべての解像図を表現することができるようになる。これにつれて、本発明の第１実施例による液晶表示装置は作業性の向上及び製造費用を減少させることができる。
【００９２】
図１３は本発明の第２実施例による液晶表示装置でデータＩＣを表すブロック図である。
【００９３】
図１３を参照すると、本発明の第２実施例による液晶表示装置はデータＩＣ（４１６）を除いてはすべての構成要素は本発明の第１実施例による液晶表示装置と同一になる。これにつれて、本発明の第２実施例による液晶表示装置では図１３を図４と結びつけてデータＩＣ（４１６）だけを説明することにし、異なる構成要素などに対する説明は省略する。この際、図４に示されたデータＩＣの図面符号”１１６”は図１０に示された”４１６”に代えることにする。
【００９４】
本発明の第２実施例による液晶表示装置でデータＩＣ（４１６）はデータラインなど（ＤＬ１乃至ＬＤｍ）と、第１及び第２データ出力チャンネル群（２６０，２６２）の間のダミー・データ出力チャンネル群（２６４）とを具備する。
【００９５】
このような、データＩＣ（４１６）はデータラインなど（ＤＬ１乃至ＬＤｍ）の数につれてダミー・データ出力チャンネル群（２６４）を通してデータラインなど（ＤＬ１乃至ＬＤｍ）に供給される画素データの出力可否を決定するための第１及び第２チャンネル選択信号（Ｐ１，Ｐ２）が供給される第１及び第２オプションピン（ＯＰ１、ＯＰ２）とを具備する。
【００９６】
第１及び第２オプションピン（ＯＰ１、ＯＰ２）のそれぞれは電圧源（ＶＣＣ）及び基底電圧源（ＧＮＤ）に選択的に接続されて２ビット２進論理値を有するようになる。これにつれて、第１及び第２オプションピン（ＯＰ１，ＯＰ２）を通してデータＩＣ（４１６）に供給される第１及び第２チャンネル選択信号（Ｐ１，Ｐ２）は”００”、”０１”、”１０”及び”１１”の値を有するようになる。
【００９７】
これにつれて、データＩＣ（４１６）などのそれぞれは第１及び第２オプションピン（ＯＰ１，ＯＰ２）を通して供給される第１及び第２チャンネル選択信号（Ｐ１，Ｐ２）につれて液晶パネル（１０２）の解像図につれてすでに設定された出力チャンネルを有するようになる。
【００９８】
このような液晶パネル（１０２）の解像図につれてデータＩＣ（４１６）の出力チャンネルによるデータＩＣ（４１６）の個数を表１に表した。
【００９９】
これにつれて、本発明の第２実施例による液晶表示装置は第１及び第２チャンネル選択信号（Ｐ１，Ｐ２）につれてデータＩＣ（４１６）の出力チャンネルを６００チャンネル、６１８チャンネル、６３０チャンネル及び６４２チャンネルの中のいずれか一つで設定することで液晶パネル（１０２）のすべての解像図を表現することができる。もう一度言って、本発明の第２実施例による液晶表示装置のデータＩＣ（４１６）は６４２個のデータ出力チャンネルを有するように製造して、第１及び第２オプションピン（ＯＰ１，ＯＰ２）からの第１及び第２チャンネル選択信号（Ｐ１，Ｐ２）につれてデータＩＣ（４１６）の出力チャンネルを設定することで液晶パネル（１０２）のすべての解像図に共用に使用することができる。また、本発明の第２実施例による液晶表示装置は出力チャンネルの決定によるデータＩＣ（４１６）のダミー・データ出力チャンネル群（２６４）をデータＩＣ（４１６）のデータ出力チャンネルなどの中の中間部分に配置するようになる。即ち、データＩＣ（４１６）の第１及び第２データ出力チャンネル群（２６０，２６２）はダミー・データ出力チャンネル群（２６４）を間に置いて同一の出力チャンネルを有するようになる。これにつれて、本発明の第２実施例による液晶表示装置はデータＩＣ（４１６）の第１及び第２データ出力チャンネル群（２６０，２６２）のそれぞれの出力チャンネルを同一にすることで画素データの出力の際に電気的な干渉を減少させることができる。
【０１００】
これを詳細に説明すると、本発明の第２実施例による液晶表示装置のデータＩＣ（４１６）は６４２個のデータ出力チャンネルを有するように製造される。
【０１０１】
第１及び第２オプションピン（ＯＰ１，ＯＰ２）のそれぞれが基底電圧源（ＧＮＤ）に接続されてデータＩＣ（４１６）に供給される第１及び第２チャンネル選択信号（Ｐ１，Ｐ２）の値が”００”である場合にデータＩＣ（４１６）は図１４に示したように６４２個のデータ出力チャンネルの中の第１乃至第３００出力チャンネルを有するデータ出力チャンネル群（２６０）及び第３４３乃至第６４２出力チャンネルを有する第２データ出力チャンネル群（２６２）を通して画素電圧信号を出力するようになる。この際、ダミー・データ出力チャンネル群（２６４）は第３０１乃至第３４２出力チャンネルを有してダミーラインに処理されて画素データが出力されたり、出力されない。また、第１オプションピン（ＯＰ１）が基底電圧源（ＧＮＤ）に接続されると共に第２オプションピン（ＯＰ２）が電圧源（ＶＣＣ）に接続されてデータＩＣ（４１６）に供給される 第１及び第２チャンネル選択信号（Ｐ１，Ｐ２）の値が”０１”である場合にデータＩＣ（４１６）は図１５に示したように６４２個のデータ出力チャンネルの中の第１乃至第３０９出力チャンネルを有するデータ出力チャンネル群（２６０）及び第３３４乃至第６４２出力チャンネルを有する第２データ出力チャンネル群（２６２）を通して画素電圧信号を出力するようになる。この際、ダミー・データ出力チャンネル群（２６４）は第３１０乃至第３３３出力チャンネルを有してダミーラインに処理されて画素データが出力されたり、出力されない。そして、第１オプションピン（ＯＰ１）が電圧源（ＶＣＣ）に接続されると共に第２オプションピン（ＯＰ２）が 基底電圧源（ＧＮＤ）に接続されてデータＩＣ（４１６）に供給される第１及び第２チャンネル選択信号（Ｐ１，Ｐ２）の値が”１０”である場合にデータＩＣ（４１６）は図１６に示したように６４２個のデータ出力チャンネルの中の第１乃至第３１５データ出力チャンネルを有するデータ出力チャンネル群（２６０）及び第３２８乃至第６４２データ出力チャンネルを有する第２データ出力チャンネル群（２６２）を通して画素電圧信号を出力するようになる。この際、ダミー・データ出力チャンネル群（２６４）は第３１６乃至第３２７データ出力チャンネルを有してダミーラインに処理されて画素データが出力されたり、出力されない。最後に、第１及び第２オプションピン（ＯＰ１、ＯＰ２）のそれぞれが電圧源（ＶＣＣ）に接続されてデータＩＣ（４１６）に供給される第１及び第２チャンネル選択信号（Ｐ１，Ｐ２）の値が狽O０狽ナある場合にデータＩＣ（４１６）は図１７に示したようにデータ出力チャンネル群（２６０）、ダミー・データ出力チャンネル群（２６４）及び第２データ出力チャンネル群（２６２）、即ち第１乃至第６４２データ出力チャンネルを通して画素電圧信号を出力するようになる。
【０１０２】
一方、本発明の第２実施例による液晶表示装置のデータＩＣ（４１６）は図１８に示したようにデータＴＣＰ（５１０）に実装される。
【０１０３】
データＴＣＰ（５１０）には示さないデータ印刷回路基板に接続される入力パッドなどと、液晶パネル（１０２）に接続される第１データ出力パッド群（５６０）及び第２データ出力パッド群（５６４）が形成される。この際、データＴＣＰ（５１０）の上に実装されるデータＩＣ（４１６）のダミー出力パネル群（２６４）はダミー処理される。即ち、データＩＣ（４１６）のダミー出力パネル群（２６４）は第１及び第２データ出力パッド（５６０，５６２）に接続されない。
【０１０４】
第１データ出力パッド（５６０）はデータＴＣＰ（５１０）の上に形成された信号配線を通してデータＩＣ（４１６）のデータ出力チャンネル群（２６０）に接続される。このような、第１データ出力パッド（５６０）のパッド数は第１及び第２チャンネル選択信号（Ｐ１，Ｐ２）によって選択されたデータＩＣ（４１６）のデータ出力チャンネル群（２６０）のチャンネルと同一になる。例えば、上述のところのように第１及び第２チャンネル選択信号（Ｐ１，Ｐ２）によってデータＩＣ（４１６）の出力チャンネルが６４２個の中の６００個のデータ出力チャンネルに選択されるとデータＴＣＰ（５１０）の第１データ出力パッド（５６０）は第１乃至第３００の出力パッドを有するようになる。
【０１０５】
第２データ出力パッド（５６２）はデータＴＣＰ（５１０）の上に形成された信号配線を通してデータＩＣ（４１６）の第２データ出力チャンネル群（２６２）に接続される。このような、第２データ出力パッド（５６２）のパッド数は第１及び第２チャンネル選択信号（Ｐ１，Ｐ２）によって選択されたデータＩＣ（４１６）の第２データ出力チャンネル群（２６２）のチャンネルと同一になる。例えば、上述のところのように第１及び第２チャンネル選択信号（Ｐ１，Ｐ２）によってデータＩＣ（４１６）の出力チャンネルが６４２個の中の６００個のデータ出力チャンネルに選択されるとデータＴＣＰ（５１０）の 第２データ出力パッド（５６２）は第３０１乃至第６００の出力パッドを有するようになる。
【０１０６】
このような、データＴＣＰ（５１０）は図１９に示したように液晶パネル（１０２）の下部基板の上に形成されたデータ・パッド部（５８６）に取り付けられる。
【０１０７】
データ・パッド部（５８６）には図２０に示したようにデータＴＣＰ（５１０）の第１データ出力パッド（５６０）及び第２データ出力パッド（５６２）が取り付けられるデータ入力パッド群（５８０）が形成される。
【０１０８】
データ入力パッド群（５８０）のパッド数はデータＴＣＰ（５１０）の第１及び第２データ出力パッド群（５６０、５６２）のパッド数と同一になる。このような、データ入力パッド群（５８０）のパッドなどのそれぞれはリンク（５１８）を通してデータラインなど（ＤＬ）に接続される。
【０１０９】
このような、本発明の第２実施例による液晶表示装置は上述したところのように第１及び第２チャンネル選択信号（Ｐ１，Ｐ２）によって変更されるデータＩＣ（４１６）の第１及び第２データ出力パッド群（５６０、５６２）に対応されるようにデータＴＣＰ（５１０）の第１及び第２データ出力パッド群（５６０）、液晶パネル（１０２）のデータ入力パッド群（５８０）を同一に設計するようになる。
【０１１０】
このような、本発明の第２実施例による液晶表示装置は上述したところのように第１及び第２オプションピン（ＯＰ１、ＯＰ２）に供給される第１及び第２チャンネル選択信号（Ｐ１，Ｐ２）によって表１に表したように液晶パネル（１０２）の解像図につれてデータＩＣ（４１６）の出力チャンネルを設定することで一種類のデータＩＣ（１１６）だけでもすべての解像図を表現することができるようになる。これにつれて、本発明の第２実施例による液晶表示装置は作業性の向上及び製造費用を減少させることができる。
【０１１１】
また一方で、本発明の第２実施例による液晶表示装置のデータＩＣ（４１６）は図２１に示したようにデータＴＣＰ（６１０）に実装される。
【０１１２】
データＴＣＰ（６１０）には示さないデータ印刷回路基板に接続される入力パッドなどと、液晶パネル（１０２）に接続される第１データ出力パッド群（６６０）及び第２データ出力パッド群（６６４）と、第１及び第２データ出力パッド群（６６０、６６２）の間にダミー・データ出力パッド群（６６４）が形成される。この際、データＴＣＰ（６１０）の上に形成されるデータ出力パッドの数はデータＩＣ（４１６）の出力チャンネルと同一になる。
【０１１３】
第１データ出力パッド（６６０）はデータＴＣＰ（６１０）の上に形成された信号配線を通してデータＩＣ（４１６）のデータ出力チャンネル群（２６０）に接続される。このような、第１データ出力パッド（６６０）のパッド数は第１及び第２チャンネル選択信号（Ｐ１，Ｐ２）によって選択されたデータＩＣ（４１６）のデータ出力チャンネル群（２６０）のチャンネルと同一になる。例えば、上述のところのように第１及び第２チャンネル選択信号（Ｐ１，Ｐ２）によってデータＩＣ（４１６）の出力チャンネルが６４２個の中の６００個のデータ出力チャンネルに選択されるとデータＴＣＰ（６１０）の第１データ出力パッド（６６０）は出力パッド（第１乃至第３００の出力パッド）を有するようになる。
【０１１４】
第２データ出力パッド（６６２）はデータＴＣＰ（６１０）の上に形成された信号配線を通してデータＩＣ（４１６）の第２データ出力チャンネル群（２６２）に接続される。このような、第２データ出力パッド（６６２）のパッド数は第１及び第２チャンネル選択信号（Ｐ１，Ｐ２）によって選択されたデータＩＣ（４１６）の第２データ出力チャンネル群（２６２）のチャンネルと同一になる。例えば、上述のところのように第１及び第２チャンネル選択信号（Ｐ１，Ｐ２）によってデータＩＣ（４１６）の出力チャンネルが６４２個の中の６００個のデータ出力チャンネルに選択されるとデータＴＣＰ（６１０）の 第２データ出力パッド（６６２）は３００個の出力パッド（第３４３乃至第６４２の出力パッド）を有するようになる。
【０１１５】
ダミー・データ出力パッド群（６６４）は第１及び第２データ出力パッド（６６２）の間に形成されて、データＴＣＰ（６１０）の上に形成された信号配線を通してデータＩＣ（４１６）のダミー・データ出力チャンネル群（２６４）に接続される。このような、ダミー・データ出力パッド群（６６４）はデータＴＣＰ（６１０）のダミー・データ出力チャンネル群（２６４）のチャンネルと同一になる。例えば、上述のところのように 第１及び第２チャンネル選択信号（Ｐ１，Ｐ２）によって選択されたデータＩＣ（４１６）の出力チャンネルが６４２個の中の６００個のデータ出力チャンネルに選択されるとデータＴＣＰ（６１０）のダミー・データ出力チャンネル群（６６４）は４２個のダミー出力パッド（第３０１乃至第３４２の出力パッド）を有するようになる。
【０１１６】
このような、データＴＣＰ（６１０）は図２２に示したように液晶パネル（１０２）の下部基板の上に形成されたデータ・パッド部（６８６）に取り付けられる。
【０１１７】
データ・パッド部（６８６）には図２３に示したようにデータＴＣＰ（６１０）の第１データ出力パッド（６６０）が取り付けられる第１データ入力パッド群（６８０）と、データＴＣＰ（６１０）の第２データ出力パッド（６６２）が取り付けられる第２データ入力パッド群（６８２）と、データＴＣＰ（６１０）のダミー・データ出力パッド群（６６４）が取り付けられて第１及び第２データ入力パッド群（６８０，６８２）の間に形成されるダミー・データ入力パッド群（６８４）で構成される。
【０１１８】
第１データ入力パッド群（６８０）のパッド数はデータＴＣＰ（６１０）の第１データ出力パッド群（６６０）のパッド数と同一になる。このような、第１データ入力パッド群（６８０）のパッドなどのそれぞれはリンク（６１８）を通してデータラインなど（ＤＬ）に接続される。
【０１１９】
第２データ入力パッド群（６８２）のパッド数はデータＴＣＰ（６１０）の第２データ出力パッド群（６６２）のパッド数と同一になる。このような、第２データ入力パッド群（６８２）のパッドなどのそれぞれはリンク（６１８）を通してデータラインなど（ＤＬ）に接続される。
【０１２０】
ダミー・データ入力パッド群（６８４）のパッド数はデータＴＣＰ（６１０）のダミー・データ出力パッド群（６６４）のパッド数と同一になる。このような、ダミー・データ入力パッド群（６８４）のパッドなどのそれぞれはダミー処理される。即ち、ダミー・データ入力パッド群（６８４）は第１及び第２データ入力パッド群（６８０、６８２）の間に形成されてデータラインなど（ＤＬ）に接続されない。
【０１２１】
このような、本発明の第２実施例による液晶表示装置は上述したところのように第１及び第２チャンネル選択信号（Ｐ１，Ｐ２）によって変更されるデータＩＣ（４１６）の第１及び第２データ出力パッド群（２６０、２６２）及びダミー・データ出力チャンネル群（２６４）のそれぞれのチャンネルに対応されるようにデータＴＣＰ（６１０）の第１及び第２データ出力パッド群（６６０、６６２）及びダミー・データ出力チャンネル群（６６４）、液晶パネル（１０２）の第１及び第２データ入力パッド群（６８０、６８２）及びダミー・データ入力チャンネル群（６８４）を同一に設計するようになる。
【０１２２】
上述のところのように、本発明の第１及び第２実施例による液晶表示装置では第１及び第２チャンネル選択信号（Ｐ１，Ｐ２）につれて６４２個のデータ出力チャンネルを有するデータＩＣ（１１６，４１６）の出力チャンネルを変更することに対して限り限定されることではなく、６４２個の以下及び以上の出力チャンネルを有するデータＩＣ（１１６，４１６）に同一に適用されることができる。
【０１２３】
また、第１及び第２チャンネル選択信号（Ｐ１，Ｐ２）につれて設定されるデータＩＣ（１１６，４１６）の出力チャンネルは６００，６１８，６３０及び６４２個のデータ出力チャンネルだけに限定されることではなく、どんな場合にも適用することができる。もう一度言って、第１及び第２チャンネル選択信号（Ｐ１，Ｐ２）につれて設定されるデータＩＣ（１１６，４１６）の出力チャンネルは液晶パネル（１０２）の解像図、データＴＣＰの個数、データＴＣＰの幅、タイミング制御部（１０８）からデータＩＣ（１１６，４１６）に画素データ（ＶＤ）を供給するためのタイミング制御部（１０８）とデータＩＣ（１１６，４１６）の間のデータ伝送ラインの数の中の少なくともいずれか一つの条件によって設定される。これにつれて、第１及び第２チャンネル選択信号（Ｐ１，Ｐ２）につれて設定されるデータＩＣ（１１６，４１６）の出力チャンネルは６００，６１８，６２４，６４５，６８４，６９６，７０２，７２０などになれる。
【０１２４】
そして、データＩＣ（１１６，４１６）の出力チャンネルを設定するためのチャンネル選択信号（Ｐ１，Ｐ２）もまた２ビットの２進論理値に限定されることではなく、２ビット以上の２進論理値を有することができる。
【０１２５】
上述のように、本発明によるチップ実装フィルムと液晶表示装置はチャンネル選択信号を利用して液晶パネルの解像図につれて集積回路のチャンネルを変更することで一種類のデータ集積回路を利用して液晶パネルのすべての解像図を駆動させることができる。
【０１２６】
また、本発明はデータラインなどにいつもデータを供給する第１データ出力チャンネル群と第２データ出力チャンネル群の間にダミーデータ出力チャンネル群が形成されたデータ集積回路とを具備して、チャンネルの選択信号を利用して液晶パネルの解像図につれてデータ集積回路のチャンネルを変更することで一種類のデータ集積回路を利用して液晶パネルのすべての解像図を駆動させることができるようになる。
【０１２７】
従って、本発明は液晶パネルの解像図に関係なく、データ集積回路を共用に使用することができるのでデータ集積回路の個数を減少させることができる。結果的に、本発明の実施例による液晶表示装置は作業性の向上及び製造費用を節減することができる。
【０１２８】
以上説明した内容を通して当業者であると、本発明の技術思想を逸脱しない範囲で多様な変更及び修正が可能であることがわかる。従って、本発明の技術的の範囲は詳細な説明に記載された内容に限らず特許請求の範囲により定めなければならない。
【図面の簡単な説明】
【０１２９】
【図１】従来の液晶表示装置を概略的に表す図面である。
【図２ａ】従来のゲート・ドライバに含まれているゲート集積開を表す図面である。
【図２ｂ】従来のデータ・ドライバに含まれているデータ集積開を表す図面である。
【図３】図２ｂに示されたデータ集積回路の内部の構造を詳細に表す図面である。
【図４】本発明の第１実施例による液晶表示装置を表す図面である。
【図５】図４に示された第１及び第２チャンネルの選択信号につれて６００個のデータ出力チャンネルを有するように設定したデータ集積回路を表す図面である。
【図６】図４に示された第１及び第２チャンネルの選択信号につれて６１８個のデータ出力チャンネルを有するように設定したデータ集積回路を表す図面である。
【図７】図４に示された第１及び第２チャンネルの選択信号につれて６３０個のデータ出力チャンネルを有するように設定したデータ集積回路を表す図面である。
【図８】図４に示された第１及び第２チャンネルの選択信号につれて６４２個のデータ出力チャンネルを有するように設定したデータ集積回路を表す図面である。
【図９】図４に示されたデータ集積回路の内部の構造を詳細に表す図面である。
【図１０】図４に示されたテープ・キャリアー・パッケージを表す図面である。
【図１１】図４に示された液晶パネルに取り付けられたテープ・キャリアー・パッケージを表す図面である。
【図１２】図１１に示された液晶パネルのデータ・パッド部を表す図面である。
【図１３】本発明の第２実施例による液晶表示装置のデータ集積回路を表す図面である。
【図１４】図１３に示された第１及び第２チャンネルの選択信号につれて６００個のデータ出力チャンネルを有するように設定したデータ集積回路を表す図面である。
【図１５】図１３に示された第１及び第２チャンネルの選択信号につれて６１８個のデータ出力チャンネルを有するように設定したデータ集積回路を表す図面である。
【図１６】図１３に示された第１及び第２チャンネルの選択信号につれて６３０個のデータ出力チャンネルを有するように設定したデータ集積回路を表す図面である。
【図１７】図１３に示された第１及び第２チャンネルの選択信号につれて６４２個のデータ出力チャンネルを有するように設定したデータ集積回路を表す図面である。
【図１８】図１３に示された本発明の第２実施例による液晶表示装置のデータ集積回路が実装されたテープ・キャリアー・パッケージを表す図面である。
【図１９】図１８に示された テープ・キャリアー・パッケージが取り付けられた液晶パネルを表す図面である。
【図２０】図１９に示された液晶パネルのデータ・パッド部を表す図面である。
【図２１】図１３に示された本発明の第２実施例による液晶表示装置のデータ集積回路が実装された異なる形態のテープ・キャリアー・パッケージを表す図面である。
【図２２】図２１に示されたテープ・キャリアー・パッケージが取り付けられた液晶パネルを表す図面である。
【図２３】図２２に示された液晶パネルのデータ・パッド部を表す図面である。
【符号の説明】
【０１３０】
２，１０２：液晶パネル
７：液晶セル
４，１０４：データドライバ
６，１０６：ゲートドライバ
８，１０８：タイミング制御部
１０：ゲートＩＣ
１６，１１６，４１６：データＩＣ
２０，１２０：信号制御部
３２，１３２：ガンマ電圧部
３４，１３４，１８４：シフト・レジスタ部
３６，１３６：ラッチ部
３８，１３８：ＤＡＣ部
４０：Ｐディコーディング部
４２：Ｎディコーディング部
４６，１４６：出力バッファ部
４４，１４４：マルチプレクサ
１１０，６１０：データＴＣＰ
１６０：データ出力パッド群
１６４：ダミー・データ出力パッド群
１８６：データパッド部
１８４：ダミー・データ入力パッド群
２６０，６６０：第1データ出力チャンネル群
２６２，６６２：第２データ出力チャンネル群 
２６４，６６４：ダミー・データ出力チャンネル群
【図１】
2005182010.tif 000004
【図２ａ】
2005182010.tif 000005
【図２ｂ】
2005182010.tif 000006
【図３】
2005182010.tif 000007
【図４】
2005182010.tif 000008
【図５】
2005182010.tif 000009
【図６】
2005182010.tif 000010
【図７】
2005182010.tif 000011
【図８】
2005182010.tif 000012
【図９】
2005182010.tif 000013
【図１０】
2005182010.tif 000014
【図１１】
2005182010.tif 000015
【図１２】
2005182010.tif 000016
【図１３】
2005182010.tif 000017
【図１４】
2005182010.tif 000018
【図１５】
2005182010.tif 000019
【図１６】
2005182010.tif 000020
【図１７】
2005182010.tif 000021
【図１８】
2005182010.tif 000022
【図１９】
2005182010.tif 000023
【図２０】
2005182010.tif 000024
【図２１】
2005182010.tif 000025
【図２２】
2005182010.tif 000026
【図２３】
2005182010.tif 000027